(57)【要約】      （修正有）【課題】ムラなく広範囲に光を照射する細やかな配光ができる照明器具を提供する。【解決手段】複数の光源３０が、器具本体２０に取り付けられた軸部材２５に対して、取付部材４０により個々に回動可能に取り付けられているので、各光源３０の照射方向を変えることができ、広い範囲に均一にムラなく照射するような配光ができる。取付部材４０は、軸部材２５を回動可能に把持する略円柱形状の把持部４１と、平板状の取付板４２を有し、ゴム板のような弾性体を介して任意の回動角度を保持して停止させる。【選択図】図２
2012069485.tif 000002
【特許請求の範囲】
【請求項１】
複数の光源を収容する器具本体と、
前記器具本体に設けられた軸部材と、を有し、
前記複数の光源が、前記軸部材に対して各々回動可能に取り付けられた照明器具。
【請求項２】
請求項１に記載の照明器具において、
前記光源が、ＬＥＤ光源である照明器具。
【発明の詳細な説明】
【技術分野】
【０００１】
本発明は、複数の光源を有し、天井や壁面に取り付けて下方等を照明するダウンライトとして使用できる照明器具に関するものである。
【背景技術】
【０００２】
従来より、複数の光源を用いて、所定の方向を面状に照明する照明器具が提案されている（例えば、特許文献１参照）。
図６に示すように、特許文献１に記載の照明器具１００では、ボックス１０１に複数個のモジュール１０２Ａ〜１０２Ｄが取り付けられている。各々のモジュール１０２Ａ〜１０２Ｄにはそれぞれ複数個のＬＥＤ１０３が配列されてＬＥＤ光源を形成している。
そして、複数個のＬＥＤ１０３の前面には、複数個のＬＥＤ１０３からの出射光を配光制御する配光制御部材１０４が設けられている。ＬＥＤ光源は、複数個のＬＥＤ１０３を組み合わせて、Ｒ（赤色）、Ｇ（緑色）、Ｂ（青色）が組み合わさった光を出射する。
【０００３】
複数個のモジュール１０２Ａ〜１０２Ｄには、長手方向の両端部に回動軸１０５Ａ〜１０５Ｄが設けられており、ボックス１０１に回動可能に支持されている。モジュール１０２Ａ〜１０２Ｄは、回動軸１０５Ａ〜１０５Ｄを中心に回動し、モジュール１０２Ａ〜１０２Ｄに配列された複数個のＬＥＤ１０３の光の出射方向を調節し固定する。
【０００４】
従って、各モジュール１０２Ａ〜１０２ＤにおけるＬＥＤ１０３の光の出射方向は、各モジュール１０２Ａ〜１０２Ｄ毎の回動角で決まり、モジュール１０２Ａ〜１０２Ｄの回動角で決められた方向にＬＥＤ１０３からの光は出射する。
【先行技術文献】
【特許文献】
【０００５】
【特許文献１】特開２００７−８０６６６号公報（第１図）
【発明の概要】
【発明が解決しようとする課題】
【０００６】
しかしながら、前述した特許文献１に記載の照明器具１００においては、複数のＬＥＤ１０３が各モジュール１０２Ａ〜１０２Ｄに固定されているため、各モジュール１０２Ａ〜１０２Ｄを回動させることにより、そのモジュール１０２Ａ〜１０２Ｄに取り付けられているＬＥＤ１０３が一体となって照射方向を変える。このため、ムラなく広範囲に光を照射する細やかな配光ができないという問題があった。
【０００７】
本発明は、従来の問題を解決するためになされたもので、ムラなく広範囲に光を照射する細やかな配光ができる照明器具を提供することを目的とする。
【課題を解決するための手段】
【０００８】
本発明の照明器具は、複数の光源を収容する器具本体と、前記器具本体に設けられた軸部材と、を有し、前記複数の光源が、前記軸部材に対して各々回動可能に取り付けられたものである。
【０００９】
また、本発明の照明器具は、前記光源が、ＬＥＤ光源であるものである。
【発明の効果】
【００１０】
本発明は、複数の光源が、器具本体に取り付けられた軸部材に対して、個々に回動可能に取り付けられているので、光源からの光を広い範囲に均一にムラなく照射するような配光ができるという効果を有する照明器具を提供できる。
【図面の簡単な説明】
【００１１】
【図１】（Ａ）は本発明に係る実施形態の照明器具を天井の隅部に設けられている凹部に取り付けた状態の断面図であり、（Ｂ）は天井の隅部に埋め込んだ状態の断面図
【図２】（Ａ）は本発明に係る実施形態の照明器具の断面図であり、（Ｂ）は（Ａ）中Ｂ方向から見た平面図
【図３】図２（Ａ）中ＩＩＩ−ＩＩＩ位置の断面図
【図４】図３中ＩＶ方向から見た斜視図
【図５】（Ａ）は個々の光源の回動角度を変化させた状態を示す側面図であり、（Ｂ）は正面図
【図６】従来の照明器具の平面図
【発明を実施するための形態】
【００１２】
以下、本発明に係る実施形態の照明器具について、図面を用いて説明する。
本発明に係る実施形態の照明器具１０は、図１（Ａ）に示すように、天井１１の隅部に設けられている凹部１２の内部に取り付けたり、図１（Ｂ）に示すように、天井１１に埋め込んで、下方を照明するダウンライトとして使用することができる。
【００１３】
図２（Ａ）および（Ｂ）に示すように、照明器具１０は、下方に開口（開口部２１）した矩形箱状の器具本体２０を有し、内部に複数の光源３０を収容する。また、器具本体２０の天板２３の上面には、商用電源（図示省略）に接続され、光源３０に点灯電力を供給する電源装置２４が取り付けられている。
なお、開口部２１には、必要に応じて透光性のカバー２２を取り付けることもできる。
【００１４】
器具本体２０の内部には、長手方向に貫通する円形断面の軸部材２５が固定されて取り付けられている。
図３および図４に示すように、軸部材２５には、複数の光源３０を取り付けるために、複数の取付部材４０が回動可能に取り付けられている。
【００１５】
取付部材４０は、軸部材２５を回動可能に把持する略円柱形状の把持部４１と、把持部４１に取り付けられた平板状の取付板４２を有する。
把持部４１の内側には、例えばゴム板のような弾性体４３が介装されており、取付部材４０を軸部材２５に対して回動可能に支持するとともに、任意の回動角度を保持した状態で取付部材４０を停止させる。
【００１６】
図２および図３に示すように、光源３０は、基板３１および基板３１に実装されるＬＥＤチップ３２を有する。基板３１は取付部材４０の取付板４２に取り付けられるとともに、電源装置２４と電気的に接続されている。
【００１７】
図５には、光源３０の照射方向を変化させた状態が示されている。
図に示すように、各光源３０を保持する取付部材４０は、軸部材２５に対して各々独立して回動および位置決め可能となっているので、例えば回動角度を徐々に変化させることができる。あるいは、ランダムに回動角度を変化させることもできる。
【００１８】
以上、説明した実施形態の照明器具１０によれば、複数の光源３０が、器具本体２０に取り付けられた軸部材２５に対して個々に回動可能且つ停止可能に取り付けられているので、各光源３０の照射方向を変えることができ、広い範囲に均一にムラなく照射するような配光ができる。
【００１９】
また、本発明の照明器具１０は、光源３０としてＬＥＤチップ３２を用いているので、省エネを図れる。
【００２０】
なお、本発明の照明器具１０は、前述した実施形態に限定されるものでなく、適宜な変形，改良等が可能である。
例えば、前述した実施形態においては、光源３０、取付部材４０および軸部材２５を一列に配設したが、これらを複数列設けることもできる。
【符号の説明】
【００２１】
１０  照明器具
２０  器具本体
２５  軸部材
３０  光源
３０  ＬＥＤ光源（光源）
【図１】
2012069485.tif 000003
【図２】
2012069485.tif 000004
【図３】
2012069485.tif 000005
【図４】
2012069485.tif 000006
【図５】
2012069485.tif 000007
【図６】
2012069485.tif 000008